(57)【要約】【課題】  ランプユニットの側部にファンが設置した場合に、反射面で熱を反射させてファンモータに及ぶランプユニットの発熱の影響を抑制するという作用を長期に亘って安定して発揮させることにより、ファンモータの長期に亘る性能安定性を向上させる。【解決手段】  ランプユニット１の側部にファン３を設置している投影装置において、ファン３のファンモータ３２をランプユニット１と対向させ、ファンモータ３２とランプユニット１との間に板金製の遮熱板７を配備し、遮熱板７の係止爪７５，７６，７７を互いに異なる方向からフレーム５に係止させる。遮熱板７の表面がランプユニット１の熱を反射してフレームモータ３２に及ぶ熱影響が抑制される。【選択図】        図１
2005352215.tif 000002
【特許請求の範囲】
【請求項１】
光源としてのランプユニットの側部にファンが設置されている投映装置において、
上記ファンがそのファンモータを上記ランプユニットとの対向位置に備えていて、そのファンモータと上記ランプユニットとの間に、ランプユニットの発熱の影響が上記ファンモータに及ぶことを抑制する板金製の遮熱板が配備され、
この遮熱板が、上記ファンモータと上記ランプユニットとの間に配備されている樹脂製フレームの板片部に重ね合わされた遮熱板主部と、第１、第２及び第３の別々の係止爪と、上記遮熱板主部から異なる３方向に延び出て第１、第２及び第３の上記係止爪を先端部に備えている各別の３つのアーム部とを備え、
上記第１係止爪を上記フレームに側部から嵌合して係止させ、上記第２係止爪を上記フレームに外側から嵌合して係止させ、上記第３係止爪を上記フレームに上側から嵌合して係止させていて、それらの各係止箇所では、上記フレームがコ字形に形成されたそれぞれの係止爪によって抱持されていると共に、上記フレームの上記板片部の周囲に備わっている通風口を、任意の上記アーム部が横切ってその通風口を分割していることを特徴とする投映装置。
【請求項２】
光源としてのランプユニットの側部にファンが設置されている投映装置において、
上記ファンのファンモータと上記ランプユニットとの間に、ランプユニットの発熱の影響が上記ファンモータに及ぶことを抑制する板金製の遮熱板が配備されていることを特徴とする投映装置。
【請求項３】
上記ファンモータが上記ランプユニットとの対向位置に備わっている請求項２に記載した投映装置。
【請求項４】
上記遮熱板はその周囲に複数の係止爪を有し、それらの係止爪を、上記ファンモータと上記ランプユニットとの間に配備されている樹脂製フレームに係止させている請求項２又は請求項３に記載した投映装置。
【請求項５】
複数の上記係止爪が第１、第２及び第３の係止爪に分かれていて、第１係止爪を上記フレームに外側から嵌合して係止させ、第２係止爪を上記フレームに内側から嵌合して係止させ、第３係止爪を上記フレームに上方向又は下方向から嵌合して係止させている請求項４に記載した投影装置。
【請求項６】
上記遮熱板が、上記フレームに具備された板片部に重ね合わされている遮熱板主部と、第１、第２及び第３の別々の上記係止爪と、上記遮熱板主部から異なる３方向に延び出て第１、第２及び第３の上記係止爪を先端部に備えている各別の３つのアーム部とを備え、上記フレームの上記板片部の周囲に備わっている通風口を、任意の上記アーム部が横切ってその通風口を分割している請求項５に記載した投映装置。
【発明の詳細な説明】
【技術分野】
【０００１】
本発明は、投映装置、特に、光源としてのランプユニットの側部にそのランプユニットに送風するためのファンが設置されている投映装置に関する。
【背景技術】
【０００２】
液晶プロジェクタといったこの種の投映装置では、ランプユニットが発熱源となって高熱を発生するので、そのランプユニットをファンの送風作用により冷却してランプユニットやそのランプユニットを収容している筐体の過熱を防いでいる。
【０００３】
また、光源や光学系を冷却することは従来より様々な形態で行なわれている（たとえば特許文献１、特許文献２、特許文献３参照）。特許文献１に記載されているものは、映像表示装置において、照明光の光路中の色フィルタやロッドインテグレータの前に遮光板を設け、その遮光板に放熱部を延在させて内部の不要な熱エネルギーを外部に放出するというものである。特許文献２に記載されているものは、表示装置において、カラーディスクを覆うカバーの内部の空気を換気することによってカバー内の温度上昇を抑制するというものである。また、特許文献３には、プロジェクタ用の冷却装置についての記載があり、それによると、光ユニットとその光ユニットの側部のファンとの間に光遮蔽部を配置してある。
【特許文献１】特開２００２−３１８４２３号公報
【特許文献２】特開２００２−２８００９９号公報
【特許文献３】特開２００３−２１８７０号公報
【発明の開示】
【発明が解決しようとする課題】
【０００４】
ところで、投映装置に採用されている送風用のファンにおいて、そのファンモータのケーシングには、ベアリングなどの摺動機械部品や作動制御用ＩＣなどの制御素子が内蔵されていることが多い。そのようなファンでは、ファンモータがランプユニットの発熱の影響を受けて性能安定性が損なわれるおそれがあることなどにより、ランプユニットの稼働中の発熱の影響をできるだけ抑えておく必要があるだけでなく、特にランプユニットの稼働停止直後の余熱の影響をもできるだけ抑えるようにしてそのスペックを満たしておく必要がある。
【０００５】
そこで、ファンのファンモータとランプユニットとの間に反射面を具備させることによって、その反射面でランプユニットで発生した熱を反射させてファンモータに加わる熱影響をできるだけ抑制することを試みた。具体的には、反射面をファンモータのケーシングの端面にアルミニウム箔によって形成したり、ファンモータとランプユニットとの間に配備した樹脂製フレームにアルミニウム箔を貼り付けて反射面を形成したりすることを試みた。それによると、反射面がランプユニットの熱を反射してファンモータに加わる熱影響が抑制され、そのファンモータの摺動機械部品や作動制御用ＩＣなどの制御素子についてのスペックが満たされてファンモータの性能安定性が保たれることが判った。
【０００６】
しかしながら、反射面を形成する手段として上記したようにアルミニウム箔をファンモータのケーシングや樹脂製フレームに貼り付けると、そのアルミニウム箔がランプユニットの熱の影響でめくれ上がったり剥離したして初期の反射性能が早期に損なわれてしまうという問題が知見された。
【０００７】
一方、上掲の各特許文献に記載されている技術は、ファンモータの性能安定性を確保することを意図した技術ではないので、それらに記載されている技術によって上記問題を解決することはできない。
【０００８】
本発明は以上の問題や事情に鑑みてなされたものであり、光源としてのランプユニットの側部にファンが設置されている場合に、反射面で熱を反射させてファンモータに及ぶランプユニットの発熱の影響を抑制することを基本とし、初期の抑制作用を長期に亘って継続させることができるような対策を講じた投映装置を提供することを目的とする。
【課題を解決するための手段】
【０００９】
本発明に係る投映装置は、光源としてのランプユニットの側部にファンが設置されている投映装置において、上記ファンのファンモータと上記ランプユニットとの間に、ランプユニットの発熱の影響が上記ファンモータに及ぶことを抑制する板金製の遮熱板が配備されている、というものである。これによれば、反射面が機械的耐力及び熱的耐力に優れる板金製の遮熱板の表面によって形成されるので、ファンモータに及ぶランプユニットの発熱の影響が長期に亘って抑制されるようになり、ファンモータの長期に亘る性能安定性が確保されるようになる。
【００１０】
本発明では、上記ファンモータが上記ランプユニットとの対向位置に備わっているものであってもよい。
【００１１】
また、上記遮熱板はその周囲に複数の係止爪を有し、それらの係止爪を、上記ファンモータと上記ランプユニットとの間に配備されている樹脂製フレームに係止させているという構成を採用することが望ましい。これによれば、係止爪が樹脂製フレームに機械的に係止して遮熱板を位置決めするので、ランプユニットの発熱の影響で遮熱板の初期性能が損なわれるという事態が起こり得ない。
【００１２】
本発明では、複数の上記係止爪が第１、第２及び第３の係止爪に分かれていて、第１係止爪を上記フレームに外側から嵌合して係止させ、第２係止爪を上記フレームに内側から嵌合して係止させ、第３係止爪を上記フレームに上方向又は下方向から嵌合して係止させているという構成を採用する望ましい。これによれば、遮熱板を一方向に押すという単純な操作だけでその遮熱板がフレームから脱落するという事態が起こらない。そのため、当該投映装置の落下や運搬中の振動などによっで遮熱板が位置ずれしたり脱落したりしてその初期性能が損なわれるという事態が起こらない。
【００１３】
本発明では、上記遮熱板が、上記フレームに具備された板片部に重ね合わされている遮熱板主部と、第１、第２及び第３の別々の上記係止爪と、上記遮熱板主部から異なる３方向に延び出て第１、第２及び第３の上記係止爪を先端部に備えている各別の３つのアーム部とを備え、上記フレームの上記板片部の周囲に備わっている通風口を、任意の上記アーム部が横切ってその通風口を分割している、という構成を採用することができる。これによれば、フレームの通風口の一部がアームによって塞がれるので、その通風口を通してランプユニットの発熱の影響がファンモータに及ぶという事態が抑制されるだけでなく、その通風口の大きさが人の手の指が入る程度に大きい場合であっても、アームによってその通風口が小さい開口に分割されるので、何らかの原因で手の指がその通風口に差し込まれることをアームによって未然に防ぐことが可能であり、それによって取扱い上の安全性も向上するという利点がある。
【００１４】
本発明に係る投映装置は、光源としてのランプユニットの側部にファンが設置されている投映装置において、上記ファンがそのファンモータを上記ランプユニットとの対向位置に備えていて、そのファンモータと上記ランプユニットとの間に、ランプユニットの発熱の影響が上記ファンモータに及ぶことを抑制する板金製の遮熱板が配備され、この遮熱板が、上記ファンモータと上記ランプユニットとの間に配備されている樹脂製フレームの板片部に重ね合わされた遮熱板主部と、第１、第２及び第３の別々の係止爪と、上記遮熱板主部から異なる３方向に延び出て第１、第２及び第３の上記係止爪を先端部に備えている各別の３つのアーム部とを備え、上記第１係止爪を上記フレームに側部から嵌合して係止させ、上記第２係止爪を上記フレームに外側から嵌合して係止させ、上記第３係止爪を上記フレームに上側から嵌合して係止させていて、それらの各係止箇所では、上記フレームがコ字形に形成されたそれぞれの係止爪によって抱持されていると共に、上記フレームの上記板片部の周囲に備わっている通風口を、任意の上記アーム部が横切ってその通風口を分割している、という構成を採用することによっていっそう具体化される。この発明の作用などについては後述する実施形態を参照して詳細に説明する。
【発明の効果】
【００１５】
以上のように、本発明によれば、光源としてのランプユニットの側部にファンが設置されている場合に、反射面で熱を反射させてファンモータに及ぶランプユニットの発熱の影響を抑制するという作用が長期に亘って安定して発揮されるようになって、ファンモータの長期に亘る性能安定性が向上する。
【発明を実施するための最良の形態】
【００１６】
図１は本発明の実施形態に係る投影装置に採用されているランプユニット１とファン３と樹脂製フレーム５（以下「フレーム」という）とを示した概略分解斜視図、図２は上記フレーム５をファン取付け面側から見た概略斜視図、図３は上記フレーム５をファン取付け面側から見た側面図、図４はランプユニット１やファン３などの位置関係を上から見て示した説明図、図５（Ａ）は図３のＶＡ−ＶＡ線に沿う部分の拡大断面図、同（Ｂ）は図３のＶＢ−ＶＢ線に沿う部分の拡大断面図である。
【００１７】
図１〜図３において、ランプユニット１は投映装置の光源としての機能を備えていて、ランプを取り囲むリフレクタ１２が合成樹脂の一体成形体でなる保持枠１３に取り付けられていて、ランプの光線がリフレクタ１２の内面で反射して矢印Ｐの方向に投射される。ファン３は、外枠３１の中央部に取り付けられたファンモータ３２の回転軸にブレード３３を固着してなり、ファンモータ３２の偏平円筒状のケーシングの内部に、ベアリングなどの摺動機械部品や作動制御用ＩＣなどの制御素子が収容されている。フレーム５は、リフレクタ１２が取り付けられている上記保持枠１３を横方向からスライドして嵌め合わせることのできる門形に形成された樹脂製の一体成形体でなり、その門形を形成している片側枠部５１と他側枠部５２とにはそれぞれ通風口５３，５４が開口している。
【００１８】
ランプユニット１は、門形のフレーム５に嵌め込まれてランプユニット１側の位置決め突起１４とフレーム５側の位置決め孔５５とを嵌合させた状態で、ランプユニット１の取付片１５の挿通孔に挿通させた取付けビス１６をフレーム５側のねじ孔５６にねじ込んで締め付けることによってフレーム５に取り付けられる。これに対し、ファン３は、その外枠３１に具備されている位置決め孔３４をフレーム５の片側の枠部５１に突設されている位置決めボス５７に嵌め込んだ状態で、外枠３１の挿通孔３５に挿通させた取付けビス（不図示）をフレーム５のねじ孔５８にねじ込んで締め付けることによってフレーム５に取り付けられる。こうしてフレーム５にランプユニット１とファン３とを取り付けると、ランプユニット１の側部にファン３が配備され、しかも、ランプユニット１とファン３との間には、フレーム５の片側枠部５１が配備される。そして、ファン３を駆動して送風を行なうと、ランプユニット１やそのリフレクタ１２、さらにはランプに接触する気流が発生してランプユニット１の温度上昇が抑制される。
【００１９】
ところで、このような構成を備える投映装置において、図示していないスクリーンに画像を映写しているときなどには、ランプユニット１が発熱を伴って稼働しているものの、ファン３も駆動しているので、ファン３の送風作用により発生した気流によってランプユニット１が冷却されてその温度上昇が抑制されている。
【００２０】
しかし、ランプユニット１の稼働が停止し、それに合わせてファン３も停止して気流が生じなくなると、ランプユニット１の余熱がフレーム５に籠もり、その熱でファン３のファンモータ３２が加熱されてその温度が上昇する。そして、ファンモータ３２の温度が上がり過ぎると、ファンモータ３２のベアリングなどの摺動機械部品や作動制御用ＩＣなどの制御素子の温度が熱によってスペックオーバとなり、その性能が損なわれたり、場合によってはそれらが破損したりする。
【００２１】
そこで、この実施形態では、次の対策を講じることによって、ファンモータ３２が過熱されることを防いでいる。
【００２２】
すなわち、図２、図３又は図４のように、フレーム５の片側枠部５１に、上記ファンモータ３２の円筒状のケーシングの端面と同等の大きさの円形の板片部６１を形成することにより、その板片部６１をファンモータ３のケーシングの端面に対向する位置でファン３とランプユニット１との間に介在させてあり、しかも、その板片部６１の内面側に板金製の遮熱板７を重なり状に保持させてある。こうしておくと、板金製の遮熱板７の表面が反射面として働いてランプユニット１の余熱を反射するので、ファンモータ３２に及ぶランプユニット１の余熱による影響が軽減される。しかも、反射面が機械的耐力及び熱的耐力に優れる板金製の遮熱板７の表面によって形成されているので、ファンモータ３２に及ぶランプユニット１の余熱の影響が長期に亘って抑制されるようになり、ファンモータ３２の長期に亘る性能安定性が保たれる。
【００２３】
図１に示したように、上記遮熱板７は、上記フレーム５の板片部６１と略同じ大きさの円形に形成された遮熱板主部７０と、この遮熱板７の周方向の間隔を隔てた３箇所から遮熱板主部７０の外方へ延び出た第１、第２及び第３の３つのアーム部７２，７３，７４と、それらの各アーム部７２，７３，７４のそれぞれの先端部に備わっている第１、第２及び第３のコ字形の係止爪７５，７６，７７とを一体に備えている。そして、第１アーム部７２は遮熱板主部７０から水平側方に短く延び出し、第２アーム部７３は遮熱板主部７０から垂直下方に延び出し、第３アーム部７４は遮熱板主部７０から斜め上方に向けて延び出している。また、図３のように、第１アーム部７２の先端部の第１係止爪７５を上記フレーム５の片側の枠部５１に備わっている縦通リブ６２にその側部から嵌合して係止させてあり、第２アーム部７３の先端部の第２係止爪７６を図５（Ｂ）のように枠部５１に備わっている下側横行リブ６３にその外側から嵌合して抱持状に係止させ、さらに、第３アーム部７４の先端部の第３係止爪７７を図５（Ａ）のように枠部５１に備わっている上側横行リブ６４にその上側から嵌合して抱持状に係止させてあると共に、第１、第２及び第３の各アーム部７２，７３，７４を枠部５１の外側（ファン取付け面側）に位置させてある。そして、第１〜第３の３つの係止爪７５，７６，７７の上記各リブ６２，６３，６４に対する係止箇所が、遮熱板主部７０の周方向で略等角度おきの３箇所に振り分けられている。
【００２４】
この構造で遮熱板７をフレーム５に取り付けておくと、遮熱板主部７０がフレーム５の板片部６１とランプユニット１の保持枠１３との間に挟まれ、第１、第２及び第３の各アーム部７２，７３，７４がフレーム５の片側枠部５１とファン３との間に挾まれるので、ランプユニット１やファン３を取り外さない限り、遮熱板７がフレーム５から脱落するという事態が起こらなくなる。そのため、遮熱板７による熱反射についての初期性能が、遮熱板７の脱落やめくれ上がりなどによっで損なわれるという事態が起こらない。
【００２５】
この実施形態では、図３に示したように、フレーム５の片側枠部５１に具備されて上記板片部６１の上方で開口している大きな通風口５３の横方向中間部を第３アーム部７４が斜めに横切っている。そのため、その通風口５３が、人の手の指が入る程度に大きい場合であっても、第３アーム部７４によってその通風口５３が小さい開口５３ａ，５３ｂに分割されることになり、何らかの原因で手の指がその通風口５３に差し込まれることを第３アーム部７４によって未然に防ぐことが可能になる。
【図面の簡単な説明】
【００２６】
【図１】本発明の実施形態に係る投影装置に採用されているランプユニットとファンと樹脂製フレームとを示した概略分解斜視図である。
【図２】フレームをファン取付け面側から見た概略斜視図である。
【図３】フレームをファン取付け面側から見た側面図である。
【図４】ランプユニット、ファン、遮熱板などの位置関係を上から見て示した説明図である。
【図５】（Ａ）は図３のＶＡ−ＶＡ線に沿う部分の拡大断面図、（Ｂ）は図３のＶＢ−ＶＢ線に沿う部分の拡大断面図である。
【符号の説明】
【００２７】
１  ランプユニット
３  ファン
５  樹脂製フレーム
７  遮熱板
３２  ファンモータ
５３，５４  通風口
６１  板片部
７０  遮熱板主部
７２  第１アーム部
７３  第２アーム部
７４  第３アーム部
７５  第１係止爪
７６  第２係止爪
７７  第３係止爪
【図１】
2005352215.tif 000003
【図２】
2005352215.tif 000004
【図３】
2005352215.tif 000005
【図４】
2005352215.tif 000006
【図５】
2005352215.tif 000007